(57)【要約】【課題】表示パネル部の破損を防止することができる携帯型電子機器の提供。【解決手段】互いに揺動することにより開閉可能に連結されるボトムケース１１および上蓋１３を有し、上蓋１３には閉状態におけるボトムケース１１側に表示パネル部１８が設けられ、ボトムケース１１には閉状態における上蓋１３側にキーボード２３が設けられるとともにキーボード２３の裏面側に回路基板２４が設けられたものであって、回路基板２４とボトムケース１１におけるキーボード２３に対し反対側の内壁面２０ｂとの間の空間部３５には、空間部３５の広がり方向における中間部に少なくとも一つの支柱３６が配設されている。【選択図】　　図４
2004038629.tif 000002
【特許請求の範囲】
【請求項１】
互いに揺動することにより開閉可能に連結されるボトムケースおよび上蓋を有し、前記上蓋には閉状態における前記ボトムケース側に表示パネル部が設けられ、前記ボトムケースには閉状態における前記上蓋側にキーボードが設けられるとともに該キーボードの裏面側に回路基板が設けられた携帯型電子機器において、
前記回路基板と前記ボトムケースにおける前記キーボードに対し反対側の内壁面との間の空間部には、該空間部の広がり方向における中間部に少なくとも一つの支柱が配設されていることを特徴とする携帯型電子機器。
【請求項２】
前記支柱は前記空間部の広がり方向における中央部に設けられていることを特徴とする請求項１記載の携帯型電子機器。
【請求項３】
前記ボトムケースの前記キーボードに対し反対側の外壁面には、隅部に突起部が形成されるとともに前記支柱と位置を合わせて突起部が形成されていることを特徴とする請求項１または２記載の携帯型電子機器。
【発明の詳細な説明】
【０００１】
【発明の属する技術分野】
本発明は、電子辞書等の携帯型電子機器に関する。
【０００２】
【従来の技術】
電子辞書等の携帯型電子機器には、互いに揺動することにより開閉可能に連結されるボトムケースおよび上蓋を有し、上蓋には閉状態におけるボトムケース側に表示パネル部が設けられ、ボトムケースには閉状態における上蓋側にキーボードが設けられるとともにこのキーボードの裏面側に回路基板が端部においてボトムケースに支持されて設けられたものがある。この携帯型電子機器は、使用時には、ボトムケースに対して上蓋を開くことで現れる上蓋の表示パネル部を見ながら使用者はボトムケースのキーボードを操作することになり、非使用時には、ボトムケースに対して上蓋を閉じることで上蓋の表示パネル部およびボトムケースのキーボードを重ね合わせるようにしてこれらをしまうようになっている。
【０００３】
【発明が解決しようとする課題】
ところで、上記従来の携帯型電子機器においては、持ち運ばれる際にボトムケースに対して上蓋を閉じた状態でカバン等に収納されることになるが、このような状態で例えば満員電車等に持ち込まれて外力が加わった場合に、少なくともボトムケースのキーボードのストロークと、ボトムケースにおける回路基板およびキーボードに対し反対側の内壁面の間の空間部の高さとを合わせた比較的大きなストローク分、上蓋に設けられた表示パネル部が変形可能であることから、表示パネル部のガラス等が破損してしまうことがあった。
【０００４】
したがって、本発明は、表示パネル部の破損を防止することができる携帯型電子機器の提供を目的とする。
【０００５】
【課題を解決するための手段】
上記目的を達成するために、本発明の携帯型電子機器は、互いに揺動することにより開閉可能に連結されるボトムケースおよび上蓋を有し、前記上蓋には閉状態における前記ボトムケース側に表示パネル部が設けられ、前記ボトムケースには閉状態における前記上蓋側にキーボードが設けられるとともに該キーボードの裏面側に回路基板が設けられたものであって、前記回路基板と前記ボトムケースにおける前記キーボードに対し反対側の内壁面との間の空間部には、該空間部の広がり方向における中間部に少なくとも一つの支柱が配設されていることを特徴としている。
【０００６】
これにより、ボトムケースに対して上蓋を閉じた状態で外力が加わった場合に、回路基板およびボトムケースにおけるキーボードに対し反対側の内壁面の間の空間部における広がり方向における中間部に少なくとも一つ設けられた支柱が、空間部の高さ分の回路基板の変形を防止する。
【０００７】
ここで、前記支柱を前記空間部の広がり方向における中央部に設ければ、回路基板における最も変形量の大きい部分の変形を防止することになる。
【０００８】
また、前記ボトムケースの前記キーボードに対し反対側の外壁面の隅部に突起部が形成されている場合に、前記外壁面に前記支柱と位置を合わせて突起部を形成すれば、隅部の突起部が設けられたことに起因するボトムケースの変形を防止し回路基板の変形を防止することになる。
【０００９】
【発明の実施の形態】
本発明の一実施形態の携帯型電子機器を図１〜図４を参照して以下に説明する。
【００１０】
本実施形態の携帯型電子機器１０は、例えば携帯型電子辞書等であり、図１および図２に示すように、全体として厚さの薄い略直方体形状をなすボトムケース１１と、このボトムケース１１の一端縁部に設けられたヒンジ部１２によって、このボトムケース１１に前記一端縁部を中心に揺動可能に連結された全体として略矩形板状をなす上蓋１３とを有している。
【００１１】
これらボトムケース１１と上蓋１３は、ヒンジ部１２を中心に揺動することで開閉するものであり、具体的には、ボトムケース１１に対し上蓋１３を重ね合わせた閉状態と、ボトムケース１１に対し上蓋１３を離間させた開状態との間で揺動可能となっている。
【００１２】
上蓋１３は、図３に示すように、閉状態におけるボトムケース１１に対し反対側に設けられるプラスチック等からなる蓋本体１５と、この蓋本体１５の閉状態におけるボトムケース１１側の端縁部全周に取り付けられるプラスチック等からなる蓋枠部材１６と、この蓋枠部材１６に端縁部が固定部材１７で固定されることにより蓋本体１５と平行をなし、上蓋１３の閉状態におけるボトムケース１１側に設けられる液晶素子からなる表示パネル部１８とを有している。
【００１３】
ボトムケース１１は、閉状態における上蓋１３に対し反対側に設けられるプラスチック等からなるケース本体２０と、このケース本体２０の閉状態における上蓋１３側の端縁部全周に取り付けられるプラスチック等からなるケース枠部材２１と、このケース枠部材２１にネジ２２で端縁部が固定されることによりボトムケース１１の閉状態における上蓋１３側に設けられるプラスチック等からなるキーボード２３と、このキーボード２３の裏面側すなわちケース本体２０側に配置されてこのキーボード２３とともにケース枠部材２１にネジ２２で端縁部が固定される回路基板２４とを有している。
【００１４】
ここで、キーボード２３は、ケース本体２０と平行な状態でケース枠部材２１に端縁部が固定される板状の支持板部２６と、この支持板部２６に支持されるとともに押圧操作されることによりボトムケース１１の厚さ方向にストロークする複数のキー２７とを有している。
【００１５】
また、回路基板２４は、ケース本体２０と平行な状態でケース枠部材２１に端縁部が固定される板状の基板本体２９と、この基板本体２９のキーボード２３に対し反対側の実装面２９ａにハンダ付けされる複数の回路ブロック３０とを有している。
【００１６】
加えて、ボトムケース１１におけるケース本体２０のキーボード２３に対し反対側の外壁面２０ａには、各隅部に突起部３２がそれぞれケース本体２０と一体に成形されており、また、外壁面２０ａには、図２に示すように、ヒンジ部１２側に回動することでケース本体２０から突出する状態とケース本体２０に収納される状態とに切り替えられる回動突出部３３が設けられている。
【００１７】
このような携帯型電子機器１０は、使用時には、ボトムケース１１に対して上蓋１３を開くことで現れる上蓋１３の表示パネル部１８を見ながら使用者はボトムケース１１のキーボード２３を操作することになり、非使用時には、ボトムケース１１に対して上蓋１３を閉じることで上蓋１３の表示パネル部１８およびボトムケース１１のキーボード２３を重ね合わせるようにしてこれらをしまうようになっている。
【００１８】
そして、本実施の形態では、回路基板２４の基板本体２９の実装面２９ａと、ボトムケース１１におけるキーボード２３に対し反対側すなわちケース本体２０の内壁面２０ｂとの間には、これらと平行をなす平面状の空間部３５が広がっており、この空間部３５の広がり方向における中間部、具体的には中央部にボス状の支柱３６が設けられている。
【００１９】
この支柱３６はケース本体２０の中央部にこのケース本体２０と一体に成形されており、その回路基板２４側の端面３６ａが回路基板２４の基板本体２９に当接している。つまり、回路基板２４の中央部には回路ブロック３０が配置されておらず、この回路ブロック３０が配置されていない回路基板２４の中央部に支柱３６が配置されている（言い換えれば、回路基板２４における支柱３６の配置位置には回路ブロック３０が配置されていない）。この支柱３６は、例えば直径１０ｍｍ程度の円柱形状をなしている。なお、この支柱３６の形状は、円柱形状に限定されることなく、例えば一辺１０ｍｍ程度の四角柱形状としたり、回路基板２４の回路ブロックのない場所に合わせた適宜の形状としたりすることができる。
【００２０】
また、本実施形態では、ボトムケース１１のケース本体２０のキーボード２３に対し反対側の外壁面２０ａには、支柱３６と上記広がり方向における位置を合わせて突起部３８が形成されている。この突起部３８はケース本体２０と一体に成形されており、その高さは各隅部の突起部３２と合わせられている。
【００２１】
以上に述べた本実施形態の携帯型電子機器１０によれば、ボトムケース１１に対して上蓋１３を閉じた状態で持ち運ばれる際に、例えば満員電車等に持ち込まれて図４にＦで示すように上蓋１３の蓋本体１５に外力が加わった場合に、ボトムケース１１における回路基板２４の実装面２９ａおよびケース本体２０の内壁面２０ｂの間の空間部３５における広がり方向における中間部に設けられた支柱３６が、回路基板２４とケース本体２０との近接を防止することで、空間部３５の高さ分の回路基板２４の変形を防止する。
【００２２】
したがって、上蓋１３に設けられた表示パネル部１８は、主としてボトムケース１１のキーボード２３のキー２７のストローク分だけ変形可能となり、変形量が小さくなるため、この表示パネル部１８の破損を防止することができる。
【００２３】
しかも、支柱３６が空間部３５の広がり方向における中央部に設けられているため、回路基板２４における最も変形量の大きい部分の変形を防止することになる。
【００２４】
したがって、上蓋１３に設けられた表示パネル部１８は、変形量が確実に小さくなるため、この表示パネル部１８の破損を確実に防止することができる。
【００２５】
さらに、ケース本体２０のキーボード２３に対し反対側の外壁面２０ａの隅部に滑り止め用の突起部３２が形成されており、これに加えて、この外壁面２０ａに支柱３６と位置を合わせて突起部３８が形成されているため、隅部の突起部３２が設けられていることに起因するケース本体２０の変形を突起部３８が防止しこの変形を伴う回路基板２４の変形を防止することになる。
【００２６】
したがって、上蓋１３に設けられた表示パネル部１８は、変形量がさらに確実に小さくなるため、この表示パネル部１８の破損をさらに確実に防止することができる。
【００２７】
なお、上記支柱３６を一つに限定されることなく複数設けることも勿論可能であり、言い換えれば少なくとも一つが配設されていれば良いことになる。
【００２８】
【発明の効果】
以上詳述したように、本発明の携帯型電子機器によれば、ボトムケースに対して上蓋を閉じた状態で外力が加わった場合に、回路基板およびボトムケースにおけるキーボードに対し反対側の内壁面の間の空間部における広がり方向における中間部に少なくとも一つ設けられた支柱が、空間部の高さ分の回路基板の変形を防止する。
【００２９】
したがって、上蓋に設けられた表示パネル部は、主としてボトムケースのキーボードのストローク分だけ変形可能となり、変形量が小さくなるため、この表示パネル部の破損を防止することができる。
【００３０】
ここで、前記支柱を前記空間部の広がり方向における中央部に設ければ、回路基板における最も変形量の大きい部分の変形を防止することができる。
【００３１】
したがって、上蓋に設けられた表示パネル部は、変形量が確実に小さくなるため、この表示パネル部の破損を確実に防止することができる。
【００３２】
また、前記ボトムケースの前記キーボードに対し反対側の外壁面の隅部に突起部が形成されている場合に、前記外壁面に前記支柱と位置を合わせて突起部を形成すれば、隅部の突起部が設けられたことに起因するボトムケースの変形を防止し回路基板の変形を防止することができる。
【００３３】
したがって、上蓋に設けられた表示パネル部は、変形量が確実に小さくなるため、この表示パネル部の破損を確実に防止することができる。
【図面の簡単な説明】
【図１】本発明の一実施形態の携帯型電子機器を示す平面図であって、上蓋がボトムケースに対して開かれた状態を示すもの。
【図２】本発明の一実施形態の携帯型電子機器を示す側面図であって、上蓋がボトムケースに対して開かれた状態を示すもの。
【図３】本発明の一実施形態の携帯型電子機器を示す正断面図であって、上蓋がボトムケースに対して閉じられた状態を示すもの。
【図４】本発明の一実施形態の携帯型電子機器を示す部分拡大正断面図であって、上蓋がボトムケースに対して閉じられた状態を示すもの。
【符号の説明】
１０　携帯型電子機器
１１　ボトムケース
１３　上蓋
１８　表示パネル部
２０ｂ　内壁面
２３　キーボード
２４　回路基板
３２　突起部
３５　空間部
３６　支柱
３８　突起部
【図１】
2004038629.tif 000003
【図２】
2004038629.tif 000004
【図３】
2004038629.tif 000005
【図４】
2004038629.tif 000006